(57)【特許請求の範囲】
【請求項１】
ポリオレフィン系樹脂シートを圧延し、しかる後、延伸することにより得られ、厚み方向に折り曲げた際に折り曲げた状態を保持する特性を有する板素材からなり、長手方向に延びる胴部と、胴部から延びる一対の折り返し片とを有する書類ファスナであって、折り返し片は、略全体の厚みを胴部より薄肉に形成し、さらに少なくとも折り返し片の両端部の厚みをそれ以外の折り返し片の部位に比して薄肉に形成して、少なくとも胴部と折り返し片との境界を折り曲げ自在とするとともに、折り曲げ前の状態で折り曲げ方向の面が凹んでいるように長手方向と直交する横断面を凹状に湾曲させておき、これら折り返し片と胴部との間あるいは折り返し片同士の間を係合させることなく、前記境界における折り曲げ状態を樹脂自体の特性を利用して保持し得るようにしたことを特徴とする書類ファスナ。
【請求項２】
胴部と折り返し片との境界に、折り返し片の折り曲げ方向と反対の面に膨出したリブを形成すると共に折り曲げ方向の面に凹陥した折り曲げ誘導部を形成して折り曲げ自在としている請求項１記載の書類ファスナ。
【請求項３】
ポリオレフィン系樹脂シートを圧延し、しかる後、延伸することにより得られ、厚み方向に折り曲げた際に折り曲げた状態を保持する特性を有する板素材からなり、長手方向に延びる胴部と、胴部から延びる一対の折り返し片とを有する書類ファスナであって、折り返し片は、少なくとも折り返し片の両端部の厚みをそれ以外の折り返し片の部位に比して薄肉に形成し、さらに胴部と折り返し片との境界に、折り返し片の折り曲げ方向と反対の面に膨出したリブを形成すると共に折り曲げ方向の面に凹陥した折り曲げ誘導部を形成して当該境界において折り曲げ自在としておき、これら折り返し片と胴部との間あるいは折り返し片同士の間を係合させることなく、前記境界における折り曲げ状態を樹脂自体の特性を利用して保持し得るようにしたことを特徴とする書類ファスナ。
【請求項４】
折り返し片は、更に長手方向に沿った任意の位置にて折り曲げ可能とされる請求項１〜３の何れかに記載の書類ファスナ。
【請求項５】
折り返し片の両端部の厚みをそれ以外の折り返し片の部位に比して薄肉で硬度を増した状態に、かつ肉厚差に応じた段部が生ずる状態に形成している請求項１〜４の何れかに記載の書類ファスナ。
【請求項６】
板素材は折り返し片のほぼ全体の幅寸法を胴部に比して幅狭に形成したものである請求項１〜５何れかに記載の書類ファスナ。
【請求項７】
請求項１〜６記載の書類ファスナを表紙体に係止させてなることを特徴とするファイル又はフォルダ。
【発明の詳細な説明】
【技術分野】
【０００１】
本発明は、紙葉類を簡易に綴じる綴じ具として利用可能な書類ファスナ並びにこれを用いたファイル又はフォルダに関するものである。
【背景技術】
【０００２】
従来より、この種の書類ファスナとしては金属製のものが一般的であったが、分別廃棄に難点があり、エッジが鋭利なために取扱いにも注意を要するため、近年では樹脂素材を用いた綴じ具も考えられている。例えば特許文献１に示されるものは、長手方向に延びる胴部と、胴部から延びる一対の折り返し片とを有し、折り返し片の一部を胴部の一部に凹凸係合させることによって、全体をループ状にし、紙葉類を閉じ込んだ状態に保持し得るようにしている。
【０００３】
ところが、上記特許文献１のような構成であると、凹凸形状を実現する上で金型等がコスト高となる上に、折り返し片を胴部に対して係脱する操作にはある程度の要領と指先の力を必要とするため頻繁な紙葉類の加除作業には不向きである。
【０００４】
一方、特許文献２に示されるように、延伸ポリオレフィン系樹脂からなる帯状物、特に好適には延伸ポリオレフィンを圧延し、しかる後、延伸した帯状物を用いた書類ファスナも案出されている。このようなものは、曲げ戻り角が小さく、樹脂であっても折り曲げた状態をある程度保持することができるので、綴じ具としての役割を有効に果たすことができ、取扱いも簡単で、分別廃棄の不具合も解消することができる。
【特許文献１】特開平１１−７８３３６号公報
【特許文献２】特開２００５−６７０２７号公報
【発明の開示】
【発明が解決しようとする課題】
【０００５】
しかしながら、かかる特許文献２のものは、全体が均質な圧延、延伸状態で作られ、厚みも均一であるため、個別フォルダのように細いスリットが切り込んであるようなものに適用するときに、端部が入り難いという問題がある。そして、端部が入り易い程度にまで薄肉化すれば、今度は折り曲げた状態を保持する機能に支障が出ることが予想される。
【０００６】
本発明は、このような着眼点に立ってなされたもので、樹脂により折り曲げた状態を保持する上記書類ファスナの特性を利用して、細いスリットにも差し込み容易で耐用性も向上させた新たな書類ファスナ並びにファイル又はフォルダを提供しようとするものである。
【課題を解決するための手段】
【０００７】
本発明は、かかる目的を達成するために、次のような手段を講じたものである。
【０００８】
すなわち、本発明の書類ファスナは、ポリオレフィン系樹脂シートを圧延し、しかる後、延伸することにより得られ、厚み方向に折り曲げた際に折り曲げた状態を保持する特性を有する板素材からなり、長手方向に延びる胴部と、胴部から延びる一対の折り返し片とを有する書類ファスナであって、折り返し片は、略全体の厚みを胴部より薄肉に形成し、さらに少なくとも折り返し片の両端部の厚みをそれ以外の折り返し片の部位に比して薄肉に形成して、少なくとも胴部と折り返し片との境界を折り曲げ自在とするとともに、折り曲げ前の状態で折り曲げ方向の面が凹んでいるように長手方向と直交する横断面を凹状に湾曲させておき、これら折り返し片と胴部との間あるいは折り返し片同士の間を係合させることなく、前記境界における折り曲げ状態を樹脂自体の特性を利用して保持し得るようにしたことを特徴とする。
【０００９】
さらに、胴部と折り返し片との境界に、折り返し片の折り曲げ方向と反対の面に膨出したリブを形成すると共に折り曲げ方向の面に凹陥した折り曲げ誘導部を形成して折り曲げ自在としていることが望ましい。
【００１０】
また、本発明の他の構成からなる書類ファスナは、ポリオレフィン系樹脂シートを圧延し、しかる後、延伸することにより得られ、厚み方向に折り曲げた際に折り曲げた状態を保持する特性を有する板素材からなり、長手方向に延びる胴部と、胴部から延びる一対の折り返し片とを有する書類ファスナであって、折り返し片は、少なくとも折り返し片の両端部の厚みをそれ以外の折り返し片の部位に比して薄肉に形成し、さらに胴部と折り返し片との境界に、折り返し片の折り曲げ方向と反対の面に膨出したリブを形成すると共に折り曲げ方向の面に凹陥した折り曲げ誘導部を形成して当該境界において折り曲げ自在としておき、これら折り返し片と胴部との間あるいは折り返し片同士の間を係合させることなく、前記境界における折り曲げ状態を樹脂自体の特性を利用して保持し得るようにしたことを特徴とする。
【００１１】
紙葉類の綴じ込み量の変化に有効に対応するためには、折り返し片が、更に長手方向に沿った任意の位置にて折り曲げ可能とされるものが挙げられる。
【００１２】
フォルダのスリットへの差し込みを更に容易にするためには、折り返し片の両端部の厚みをそれ以外の折り返し片の部位に比して薄肉で硬度を増した状態に、かつ肉厚差に応じた段部が生ずる状態に形成しておくことが望ましい。
【００１３】
板素材の折り返し片のほぼ全体の幅寸法を胴部に比して幅狭に形成すれば、折り返し片の差し込み容易性と胴部による確実なバックアップ状態とを有効に両立させることができる。
【００１４】
本発明は、以上のような構成であるから、単独使用は勿論のこと、かかる書類ファスナを表紙体に係止させてファイルやフォルダとして適切に使用することも可能となる。
【発明の効果】
【００１５】
本発明は、以上説明した構成であるから、樹脂により折り曲げた状態を有効に保持することができ、細いスリットにも差し込むことが容易で、さらに同じ箇所を頻繁に折り曲げる際の耐用性等も有効に向上させた書類ファスナ並びにこれを用いたファイル又はフォルダを提供することが可能となる。
【発明を実施するための最良の形態】
【００１６】
以下、本発明の一実施形態を、図面を参照して説明する。
【００１７】
図1に示す本実施形態の書類ファスナ１は、単独で紙葉類を綴じ込むことができるのは勿論のこと、フォルダ２等に差し込んで使用することもできるようにしたものである。
【００１８】
具体的に説明すると、この書類ファスナ１は、長手方向に延びる胴部１１と、この胴部１１から延びる一対の折り返し片１２とを有する樹脂製の板素材ａからなり、シートをプレス工程等により切断して作られる。シートは、ポリオレフィン系樹脂シートを圧延し、しかる後、延伸することにより得られるもので、圧延はポリオレフィン系樹脂シートを圧延ローラに供給してシートを薄肉伸長するものであり、延伸は加熱雰囲気下でロール延伸法、ゾーン延伸法等を用いて行うものである。これにより、シートには延伸方向に方向性が出て繊維状になり、厚み方向には層状になって、厚み方向に折り曲げた際に折り曲げた状態を保持する特性が生ずるものである。
【００１９】
このようにしてなる板素材ａの胴部１１の長さは、図２に示す紙葉類３の綴じ穴３ａの離間距離に略対応し、一対の折り返し片１２は胴部１１の両端より折り曲がって当該紙葉類３の綴じ穴ａに差し込まれる方向に立ち上がる適宜寸法のもので、胴部１１と折り返し片１２はその境界１３において図４に示すように折り曲げ自在とされている。そして、差し込んだ後に相寄る方向（相離れる方向でも構わない）に折り曲げることによって、折り返し片１２と胴部１１との間あるいは折り返し片１２、１２同士の間を係合させることなく、前記境界１３における折り曲げ状態を樹脂自体の特性を利用して保持し、紙葉類３を綴じ込むことができるものである。折り返し片１２は、上記板素材ａの特性から更に図５に示すように長手方向に沿った任意の位置にて折り曲げることができ、その折り曲げ状態を保持することが可能である。
【００２０】
そしてこの実施形態は、図３に示すように、前記板素材ａの両端部１４の厚みをそれ以外の部位に比して薄肉に形成するとともに、胴部１１と折り返し片１２との境界１３にリブ１３ａを設けている。具体的には、板素材ａの端部を再度局所的にプレス等により圧延することによって他の部位よりも薄肉にし、リブ１３ａは前記板素材ａの境界１３において折り返し方向と反対側の面に若干膨出させて形成している。折り返し側の面には、これとは逆に若干凹陥させて折り曲げ位置をガイドする折り曲げ誘導部１３ｂを形成している。端部１４は差し込みが容易なようにやや丸めた先端を頂点とする略三角形状をなしている。端部１４とそれ以外の部位との間には、肉厚差に応じた段部が生ずる状態に形成されている。
【００２１】
この書類ファスナ１を使用するフォルダ２は、図１に示すように、一対の表紙体２１、２１の間を背表紙２２で連設したもので、背表紙２２近くの各表紙体２１の紙面には、細いスリット２３が切り込んであり、書類ファスナ１の折り返し片１２をこのスリット２３に外面側より差し込み内面側に起立させて、図２に示す紙葉類３の綴じ穴３ａを挿通し、しかる後、適宜位置で折り返し片１２を更に折り曲げることによって、紙葉類３を綴じ込んだ状態に保持することができるものである。
【００２２】
このように、本実施形態の書類ファスナ１は、長手方向に延びる胴部１１と、胴部１１から延びる一対の折り返し片１２とを有する樹脂製の板素材ａからなるものであり、板素材ａの両端部１４の厚みをそれ以外の部位に比して薄肉に形成し、胴部１１と折り返し片１２との境界１３を折り曲げ自在として、自身の樹脂特性によって前記境界１３における折り曲げ状態を保持することができるものである。
【００２３】
このように、端部１４が薄肉化されることにより、フォルダ２のような細いスリット２３に折り返し片１２を差し込むことも容易となり、また薄肉化するのは端部１４だけであって他の部位には必要な厚み寸法が確保されるため、折り曲げ状態を保持する機能に支障が生じることもなく、適正な綴じ込み状態を維持することができる。しかも、金属であると薄肉にすることによりエッジが鋭利になって取扱いに注意を要するが、この書類ファスナ１は樹脂であるためそのような心配も無用であり、簡単、安全に使用することが可能となる。
【００２４】
特に、胴部１１と折り返し片１２との境界１３は紙葉類３の加除作業の度に頻繁に折り曲げ操作が行われるものであり、樹脂と言えども早期に脆弱となって折り曲げ時の保持力の低下も懸念されるが、本実施形態のように胴部１１と折り返し片１２との境界１３にリブ１３ａを設けておけば、疲労の進行を抑えて形状保持機能を維持し、製品寿命を有効に引き延ばすことができる。
【００２５】
また、折り曲げ方向と反対側の面にリブ１３ａを設け、折り曲げ方向の面に折り曲げ誘導部１３ｂを設けているので、リブ１３ａを設けたことにより折り曲げ難くなることを折り曲げ誘導部１３ｂによって防止し、かつ、折り曲げ誘導部１３ｂを設けたことにより保形性が低下することをリブ１３ａによって防止することができる。
【００２６】
加えて、折り返し片１２は、更に任意の位置にて折り曲げ可能とされているため、紙葉類の綴じ込み量の変化にも有効に対応することが可能となる。
【００２７】
さらに、板素材ａが長手方向に沿って均質に折り曲げできる程度の硬度であると、端部１４を薄肉化したことにより腰が折れてスリット２３に差し込めない事態も生じ得るが、本実施形態のものは板素材ａの両端部１４に対して圧延処理を施しており、圧延によって薄肉化と同時に硬度増大効果が期待されるため、薄肉化してスリット２３に差し込む際にスリット２３を開き易くし、支障が生じることを有効に防止することができる。
【００２８】
以上のような構成であるから、この書類ファスナ１を表紙体２に係止させることにより、使い勝手に優れたフォルダ２としての利用が可能となる。
【００２９】
なお、各部の具体的な構成は、上述した実施形態のみに限定されるものではない。
【００３０】
例えば、胴部や折り返し片の領域を定めない態様として、図６に示すように、長手方向に延び任意の位置で折り曲げ可能な上記実施形態と同様の樹脂製の板素材aからなり、板素材ａの両端部１４の厚みをそれ以外の部位に比して薄肉に形成して、この板素材を２箇所において折り曲げることにより、図７に示すように両側に位置する部位を対をなす折り返し片１１２とし、その間に位置する部位を胴部１１１として、所要の折り曲げ状態を樹脂自体の特性を利用して保持するように構成してもよい。
【００３１】
このようなものであると、任意の位置が折り曲げ可能であるため胴部１１１の長さを変えて紙葉類３に対する綴じ穴３ａのピッチ違いに対応することも容易になる。その上、折り返し片１１２は任意の位置で更に折り曲げることができるので、紙葉類３の綴じ込み量の変化にも有効に対応することが可能となる。
【００３２】
また、図８に示すように胴部２１１の内面側に粘着部２１１ｘを設ければ表紙体２１の裏面への定着を良好なものにすることができるし、折り返し片２１２の内面側に粘着部２１２ｘを設ければ紙葉類３の表面への定着を良好なものにすることができる。
【００３３】
さらに、図９に示すように胴部３１１を折り返し片３１２に比して幅広なものにして、フォルダ２や紙葉類３の背面への当たりを安定なものにする構成も有効となる。
【００３４】
さらにまた、上記以外の構成として、端部を圧延することなく薄肉化を実現する方策の一つとしては、図１０〜図１４に示すような書類ファスナ４０１を採用することも有効となる。
【００３５】
この書類ファスナ４０１も、単独で紙葉類を綴じ込むことができるのは勿論のこと、フォルダ２等に差し込んで使用することも可能なものである。
【００３６】
すなわち、この書類ファスナ４０１は、長手方向に延びる胴部４１１と、この胴部４１１から延びる一対の折り返し片４１２とを有して、前記実施形態の書類ファスナ１と同様の樹脂製の板素材ａからなり、シートをプレス工程等により切断して作られる。端部４１４は差し込みが容易なようにやや丸めた先端を頂点とする略三角形状をなしている。板素材ａの胴部４１１の長さは、図１１に示す紙葉類３の綴じ穴３ａの離間距離に略対応し、一対の折り返し片４１２は胴部４１１の両端より折り曲がって当該紙葉類３の綴じ穴ａに差し込まれる方向に立ち上がる適宜寸法のもので、胴部４１１と折り返し片４１２はその境界４１３において折り曲げ自在とされている。そして、差し込んだ後に相寄る方向に折り曲げることによって、折り返し片４１２と胴部４１１との間あるいは折り返し片４１２、４１２同士の間を係合させることなく、前記境界４１３における折り曲げ状態を樹脂自体の特性を利用して保持し、紙葉類３を綴じ込むことができるものである。折り返し片４１２は、上記板素材ａの特性から更に紙葉類３の束の厚み等に応じて任意の位置にて折り曲げることができ、その折り曲げ状態を保持することが可能である。
【００３７】
そして、本実施形態は、シートをプレス等により切断する工程時もしくはその前後の工程時において、板素材ａのうち折り返し片４１２となる部位のほぼ全体（具体的には、図１２に示すように、略三角形状の端部４１４を除き先端側から胴部４１１との境界４１３近くまで）に対して、これを上下から挟むように図示しない凸形円筒状の金型及び凹形円筒状の金型を配置し、その間で折り返し片４１２をプレス成形して、折り曲げた際に内側となる面が凹むような長手方向と直交する断面である横断面に凹状の湾曲面４１２ａを形成したものである。この実施形態の書類ファスナは、折り返し片４１２のほぼ全体の厚みを胴部４１１に比して薄肉に形成し、また、折り返し片４１２のほぼ全体の幅寸法ｄｙを胴部４１１の幅寸法ｄｘに比して幅狭に形成し、その境界４１３の付近の巾寸法を漸次変化させて折り返し片４１２と胴部４１１とを接続している。
【００３８】
このような書類ファスナ４０１の端部を図１０に示すフォルダ２のスリット２３に突き当てて差し込むと、先ず図１４に示すように折り返し片４１２のうち端部４１４がスリット２３に入り、次いでそれよりも基端側の部位がスリット２３に、当該スリット２３を折り返し片４１２の湾曲断面と同じ形状に変形あるいは押し開きながら入って行くが、このとき端部４１４を含めて折り返し片４１２全体を薄肉にしているため、細いスリット２３に対して折り返し片４１２の差し込み作業を容易に行うことができる。しかも、折り返し片４１２は、ほぼ全体において横断面が湾曲しており、長手方向に掛かる力に対しては折れ曲がり難い形状をなすため、比較的力を入れて押し込んでも、座屈することなく真っ直ぐにスリット２３に入っていくことができる。
【００３９】
一方、横断面が湾曲しているとはいえ、折り曲げ方向に力を加えれば折り返し片４１２は比較的容易に折れ曲がるものであり、その際に折り曲げることによって内側に位置することとなる面を凹とする断面形状をなしているため、境界部１３を含め、更にその先端側の折り曲げ部位のみが局所的に湾曲形状を解除して一対の折り返し片４１２を図１１に示すように互いに相寄る方向に折り畳むことを可能ならしめる。しかも、折り曲げることによって内側に位置することとなる面を凹とすると、逆の構造すなわち折り曲げることによって外側に位置することとなる面を凹とする場合に比して、折り返し片４１２の一対の側縁で紙葉類を的確に押さえることができ、また折り曲げにより湾曲が解除される部位が狭い範囲に限定されるため樹脂による反発力で折り返し片４１２が起き上がろうとする傾向を極力生じさせないようにすることができる。
【００４０】
なお、図１０〜図１４において端部４１４を含めて折り返し片４１２の横断面を凹状に湾曲させてもよく、あるいは端部４１４のみを横断面凹状に湾曲させることも可能である。後者の場合、折り返し片４１２の先端から長手方向に沿ってある程度広い範囲を端部として考えることが望ましい。また、横断面を凹状に湾曲させる構造は、圧延によって端部の硬度増大を図る図１〜図５の構造にも併用することが可能である。
【００４１】
その他の構成も、本発明の趣旨を逸脱しない範囲で種々変形が可能であるし、この書類ファスナをファイルに適用しても同等の効果が得られることは言うまでもない。
【図面の簡単な説明】
【００４２】
【図１】本発明の一実施形態に係るフォルダの斜視図。
【図２】同フォルダに書類ファスナを用いて紙葉類を綴じ込んだ状態の斜視図。
【図３】同実施形態に係る書類ファスナの部分拡大斜視図。
【図４】同書類ファスナの機能説明図。
【図５】同書類ファスナの機能説明図。
【図６】本発明の他の実施形態に係る書類ファスナの部分拡大斜視図。
【図７】同書類ファスナの機能説明図。
【図８】同書類ファスナの機能説明図。
【図９】書類ファスナの変形例を示す図。
【図１０】本発明の上記以外の実施形態に係るフォルダの斜視図。
【図１１】同フォルダに書類ファスナを用いて紙葉類を綴じ込んだ状態の斜視図。
【図１２】同実施形態に係る書類ファスナの部分拡大斜視図。
【図１３】図２におけるＡ−Ａ線断面図。
【図１４】書類ファスナをフォルダに差し込む途中の状態を示す斜視図。
【符号の説明】
【００４３】
ａ…板素材
１、４０１…書類ファスナ
２…フォルダ
１１、１１１、２１１、３１１、４１１…胴部
１２、１１２、２１２、３１２、４１２…折り返し片
１３、４１３…境界
１３ａ…リブ
１３ｂ…折り曲げ誘導部
１４、４１４…端部
【図１】
0004795255.tif 000002
【図２】
0004795255.tif 000003
【図３】
0004795255.tif 000004
【図４】
0004795255.tif 000005
【図５】
0004795255.tif 000006
【図６】
0004795255.tif 000007
【図７】
0004795255.tif 000008
【図８】
0004795255.tif 000009
【図９】
0004795255.tif 000010
【図１０】
0004795255.tif 000011
【図１１】
0004795255.tif 000012
【図１２】
0004795255.tif 000013
【図１３】
0004795255.tif 000014
【図１４】
0004795255.tif 000015